(57)【要約】  本発明は、伸縮性を有する生地で構成され、上半身に着用されるスポーツ用ウェア（１０）であって、前身頃（１）、後身頃（２）及び袖部（３）を含み、袖部（３）は、僧帽筋上部繊維起始点の第７頚椎から、僧帽筋上部繊維及び上腕三頭筋を通り、肘上部に至るように配置されている第１緊締部（１１）を有するスポーツ用ウェアに関する。袖部（３）は、さらに、僧帽筋上部繊維起始点の第７頚椎から、僧帽筋上部繊維、上腕二頭筋、肘内側部若しくは膝外側部及び前腕後面を通り、前腕中央部若しくは前腕遠位部に至るように配置されている第２緊締部（１２）を有することが好ましい。これにより、ランニング時の上肢の動作を正しいランニングフォームに近づけることができるスポーツ用ウェアを提供する。
2017098821.tif 000002
【特許請求の範囲】
【請求項１】
伸縮性を有する生地で構成され、上半身に着用されるスポーツ用ウェアであって、  前身頃、後身頃及び袖部を含み、  前記袖部は、僧帽筋上部繊維起始点の第７頚椎から、僧帽筋上部繊維及び上腕三頭筋を通り、肘上部に至るように配置されている第１緊締部を有することを特徴とするスポーツ用ウェア。
【請求項２】
前記袖部は、さらに、僧帽筋上部繊維起始点の第７頚椎から、僧帽筋上部繊維、上腕二頭筋、肘内側部若しくは肘外側部及び前腕後面を通り、前腕中央部若しくは前腕遠位部に至るように配置されている第２緊締部を有する請求項１に記載のスポーツ用ウェア。
【請求項３】
前記第２緊締部は、僧帽筋上部繊維を覆う領域で前記第１緊締部と一体化されている請求項１又は２に記載のスポーツ用ウェア。
【請求項４】
前記後身頃は、肩甲骨内側、胸椎及び骨盤を覆う領域に配置されている第３緊締部を有する請求項１〜３のいずれか１項に記載のスポーツ用ウェア。
【請求項５】
前記前身頃は、腸骨の一部を覆う領域に配置されている第４緊締部を有する請求項１〜４のいずれか１項に記載のスポーツ用ウェア。
【請求項６】
前記第１緊締部、前記第２緊締部、前記第３緊締部及び前記第４緊締部は、いずれも、前記伸縮性を有する生地上に配置された樹脂材料で構成されている請求項５に記載のスポーツ用ウェア。
【発明の詳細な説明】
【技術分野】
【０００１】  本発明は、ランニング時に上半身に着用することができるスポーツ用ウェアに関する。
【背景技術】
【０００２】  従来より、スポーツを行う時の姿勢を矯正し、運動機能を補助するため、部分的に生地にテンション差をつけたスポーツ用ウェアが提案されている。例えば、特許文献１には、袖ぐり回り及び後身頃上部に貼り合せ生地を裏打ちして緊締部を形成することにより、姿勢を矯正できるアンダーシャツが記載されている。また、特許文献２には、肩線に沿って設けられた第１の難伸張性部材と、第１の難伸張性部材と連続的に設けられ、ネック部近傍において巾方向の中心線に対して斜め方向に延在する第２の難伸張性部材を有する投球動作補助ウェアが記載されている。また、特許文献３には、前身頃の一部に形成されたフロントテンションエリアと、後身頃の一部に形成されたバックテンションエリアを有し、フロントテンションエリア及びバックテンションエリアの素材張力を他の部分の張力より大とした陸上短距離走系用ウェアが記載されている。
【先行技術文献】
【特許文献】
【０００３】
【特許文献１】特開２００５−２４８３９１号公報
【特許文献２】特開２０１２−１１５２８９号公報
【特許文献３】特開２０１３−１８５２７７号公報
【発明の概要】
【発明が解決しようとする課題】
【０００４】  しかしながら、特許文献１に記載のアンダーシャツは、背を丸める猫背の姿勢から背筋を伸ばすように矯正するものであり、ランニング時の動作を矯正することについては検討されていない。特許文献２では、肘の位置が下がらないように投球フォームを矯正することについて検討されているものの、ランニング時の動作を矯正することについては検討されていない。特許文献３では、体幹姿勢を矯正するとともに、骨盤を起立状態にすることで、足の着地点における地面からの反発力を最大化し、走行パワーを無駄なく走力に転化することについて検討されているものの、ランニング時の上肢の動作を矯正することについては検討されていない。【０００５】  本発明は、上記従来の問題を解決するため、ランニング時の上肢の動作を正しいランニングフォームに近づけることができるスポーツ用ウェアを提供する。
【課題を解決するための手段】
【０００６】  本発明は、伸縮性を有する生地で構成され、上半身に着用されるスポーツ用ウェアであって、前身頃、後身頃及び袖部を含み、前記袖部は、僧帽筋上部繊維起始点の第７頚椎から、僧帽筋上部繊維及び上腕三頭筋を通り、肘上部に至るように配置されている第１緊締部を有することを特徴とするスポーツ用ウェアに関する。【０００７】  前記袖部は、さらに、僧帽筋上部繊維起始点の第７頚椎から、僧帽筋上部繊維、上腕二頭筋、肘内側部若しくは肘外側部及び前腕後面を通り、前腕中央部若しくは前腕遠位部に至るように配置されている第２緊締部を有することが好ましい。また、前記第１緊締部と前記第２緊締部は、僧帽筋上部繊維を覆う領域で一体化されていることが好ましい。【０００８】  前記後身頃は、肩甲骨内側、胸椎及び骨盤を覆う領域に配置されている第３緊締部を有することが好ましい。【０００９】  前記前身頃は、腸骨の一部を覆う領域に配置されている第４緊締部を有することが好ましい。【００１０】  前記第１緊締部、前記第２緊締部、前記第３緊締部及び前記第４緊締部は、いずれも、前記伸縮性を有する生地上に配置された樹脂材料で構成されていることが好ましい。
【発明の効果】
【００１１】  本発明は、上半身に着用されるスポーツ用ウェアにおいて、僧帽筋上部繊維起始点の第７頚椎から、僧帽筋上部繊維及び上腕三頭筋を通り、肘上部に至るように第１緊締部を配置することにより、ランニング時の上肢の動作を正しいランニングフォームに近づけることができるスポーツ用ウェアを提供する。
【図面の簡単な説明】
【００１２】
【図１】図１Ａは本発明の一実施態様のスポーツ用ウェアの正面図であり、図１Ｂは同背面図である。
【図２】図２Ａは本発明の他の一実施態様のスポーツ用ウェアの正面図であり、図２Ｂは同背面図である。
【図３】図３Ａは本発明の他の一実施態様のスポーツ用ウェアの正面図であり、図３Ｂは同背面図である。
【図４】図４は実施例１のスポーツ用ウェアのカッティングパターン図である。
【図５】図５は実施例２のスポーツ用ウェアのカッティングパターン図である。
【発明を実施するための形態】
【００１３】  ランニングにおいて、腕振りなどの上肢の動作は、上半身の安定性に影響を与える。従来のランニング向けのコンプレッショントップスなどのスポーツ用ウェアには、特許文献３に記載されているように体幹を引締めるものはあったが、ランニング時の上肢の動作を矯正することについて検討されたものはなかった。本発明の発明者らは、上肢のランニング動作における腕振りの安定性を保つことについて鋭意検討した。その結果、僧帽筋上部繊維起始点の第７頚椎から、僧帽筋上部繊維及び上腕三頭筋を通り、肘上部に至る領域に縦長の第１緊締部を設けることにより、ランニング時の上肢の動作を正しいランニングフォームに近づけることを見出し、本発明に至った。
【００１４】  本発明のスポーツ用ウェアは、伸縮性を有する生地（以下において、本体生地とも記す。）で構成されている。本発明において、「伸縮性を有する」とは、スポーツウェアを形成する生地の身体の周方向における伸長率（以下において、単に短軸伸長率とも記す。）及び／又は身体の長さ方向における伸長率（以下において、単に長軸伸長率とも記す。）が０％を超えることを意味する。本発明において、伸長率とは、ＪＩＳ  Ｌ  １０９６に準じて測定したものをいい、具体的には、荷重をかけていない状態の生地片の長さをＡとし、１５Ｎの荷重をかけた状態の生地片の長さをＢとした場合、伸長率＝（Ｂ―Ａ）／Ａ×１００で算出したものである。本発明において、特に限定されないが、本体生地の長軸伸長率は、８０〜１２０％であることが好ましく、より好ましくは９０〜１１０％である。また、本発明において、特に限定されないが、生地の短軸伸長率は、１６０〜２００％であることが好ましく、より好ましくは１７０〜１９０％である。
【００１５】  本発明において、「緊締部」とは、本体生地より緊締力が強い部分をいう。通常、生地の伸長率が低いほど緊締力が強くなり、本発明において、緊締力が強いとは、伸長率が低いこと、身体の長さ方向における伸長率が低いことを意味する。緊締部は、本体生地に他の生地を二重打ちすることで形成してもよいが、緊締力を調整しやすい観点から、本体生地上に樹脂材料を配置して形成することが好ましい。本体生地上に樹脂材料を配置させて第１緊締部などの緊締部を形成することで、樹脂材料の形状などによって緊締部の伸縮性をコントロールすることができる。特に限定されないが、緊締部の長軸伸長率は、３０〜７０％であることが好ましく、より好ましくは４０〜６０％である。また、本発明において、特に限定されないが、生地の短軸伸長率は、５５〜９５％であることが好ましく、より好ましくは６５〜８５％である。
【００１６】  本発明において、生地としては、伸縮性有するものであればよく、特に限定されない。例えば織物、編物などを用いることができる。織物としては、例えば平織、斜文織、朱子織、変化平織、変化斜文織、変化朱子織、変わり織、紋織、片重ね織、二重組織、多重組織、経パイル織、緯パイル織、絡み織などが挙げられる。編物としては、例えば丸編、緯編、経編（トリコット編、ラッセル編を含む）、パイル編、平編、天竺編、リブ編、スムース編（両面編）、ゴム編、パール編、デンビー組織、コード組織、アトラス組織、鎖組織、挿入組織などが挙げられる。前記生地は、特に限定されないが、例えば、目付けが１６０〜３４０ｇ／ｍ2の範囲が好ましく、より好ましくは１８０〜２８０ｇ／ｍ2の範囲である。上記の範囲であれば、運動機能を損なわず、耐久性も良く、軽くて動きやすい利点がある。
【００１７】  前記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。
【００１８】  前記スポーツ用ウェアは、上半身に着用されるものであり、前身頃、後身頃、袖部を含む。袖部は、前身頃及び後身頃と肩の部分で繋がっている。袖部は、着用者の前腕の中央付近にまで達する７部袖型の形状を有してもよく、着用者の前腕の遠位部にまで達する８部袖型や９部袖型の形状を有してもよく、着用者の手首付近にまで達する長袖型の形状を有してもよい。
【００１９】  前記袖部は、第１緊締部を有し、前記第１緊締部は、僧帽筋上部繊維起始点の第７頚椎から、僧帽筋上部繊維及び上腕三頭筋を通り、肘上部に至るように配置されている。第１緊締部は、上腕部の後面において縦長の曲線状のラインで形成されている。第１緊締部により、上腕を後方に引くテンションを与えることができる。これにより、ランニング時に腕が前に行きすぎず、腕をしっかりと後に振ることができ、ランニング時の上肢の動きを正しいランニングフォームに近づけることができる。
【００２０】  前記袖部は、さらに、僧帽筋上部繊維起始点の第７頚椎から、僧帽筋上部繊維、上腕二頭筋、肘内側部若しくは膝外側部及び前腕後面を通り、前腕中央部若しくは前腕遠位部に至るように配置されている第２緊締部を有することが好ましい。第２緊締部は、上腕前面から肘内側又は肘外側を介して前腕後面を通り前腕中央部又は前腕遠位部に至る縦長の曲線状のラインで形成されている。第２緊締部により、肘の屈曲を促し、肘の屈曲姿勢の保持をサポートすることができる。これにより、肘の曲げ伸ばしが少なく、安定して腕を振ることができ、ランニング時の上肢の動きを正しいランニングフォームにより近づけることができる。第２緊締部は、第１緊締部と僧帽筋上部繊維を覆う領域で繋がって（一体化されて）いることが好ましい。これにより、首口の端部がアンカーとなり、第１緊締部及び第２緊締部によるランニング時の上肢の動きを正しいランニングフォームに近づける効果が発揮しやすい。
【００２１】  前記後身頃は、肩甲骨内側、胸椎及び骨盤を覆う領域に配置されている第３緊締部を有することが好ましい。第３緊締部により、肩甲骨を引き寄せ、背骨をサポートし、体幹を締めることができる。それゆえ、ランニング時に背骨が立ち、肩甲骨を引き寄せ胸を張った姿勢を保つことができ、第１緊締部と第２緊締部によるランニング時の上肢の動きを正しいランニングフォームに近づける効果が得られやすくなる。
【００２２】  前記前身頃は、腸骨の一部を覆う領域に配置されている第４緊締部を有することが好ましい。第４緊締部は、骨盤を覆う領域に配置されている第３緊締部と協働して体幹の揺れを抑える効果がある。
【００２３】  前記第１緊締部、前記第２緊締部、前記第３緊締部、及び前記第４緊締部は、伸縮性すなわち緊締力を調整しやすい観点から、本体生地上に樹脂材料を配置して、例えば塗布して構成することが好ましい。樹脂材料としては、弾性を有するものを用いることができる。例えば、ポリウレタン、シリコーン樹脂、ポリ塩化ビニル、ポリアミドエラストマー、ポリエステルエラストマー、ゴム系エラストマー、オレフィン系エラストマー、ポリエチレン、ポリプロピレン、ナイロン、ＥＶＡ（エチレン・酢酸ビニル共重合体）、ＡＢＳ（アクリロニトリル−ブタジエン−スチレン共重合体）などを用いることができる。
【００２４】  前記緊締部における樹脂材料の形状は特に限定されない。樹脂材料は、例えば、線状、ハニカム状、トッド状、円柱状、半円球状、四角柱状、三角柱状、円錐状、四角錘状、三角錐状及びこれらの組み合わせなどのいずれの形状であってもよい。特に限定されないが、例えば、これらの樹脂材料を流動可能な状態（例えば、液状）で本体生地にプリント加工により塗布し、加熱し、硬化させることで緊締部を形成する。樹脂材料の形状、厚さ、密度などを調整することで、緊締部の緊締力を調整することができる。
【００２５】  以下、図面に基づいて、本発明のスポーツ用ウェアを説明する。以下の図面において、同一符号は同一物を示す。
【００２６】  図１Ａは本発明のスポーツ用ウェアの一実施態様の正面図であり、図１Ｂは同背面図である。図１に示されているように、この実施態様において、スポーツ用ウェア１０は、前身頃１、後身頃２、及び袖部３を含む。袖部３は、僧帽筋上部繊維起始点の第７頚椎から始まり、僧帽筋上部繊維及び上腕三頭筋を通り、肘上部に至るように配置されている第１緊締部１１を有する。第１緊締部１１は、上腕の後面において縦長の曲線状のラインで形成されている。第１緊締部により、上腕を後方に引くテンションが与えられ、ランニング時に腕が前に行きすぎず、腕をしっかりと後に振ることができる。
【００２７】  該実施形態において、第１緊締部１１は、本体生地上に配置された（例えば、塗布された）樹脂材料で構成されており、樹脂材料はドット状のパターンを有する。本発明において、第１緊締部における樹脂材料の形状は上述したとおりドット状に限定されない。該実施形態において、第１緊締部１１は、上腕の後面において、互いに離れている縦長の二本の曲線状のラインで形成されている。本発明において、第１緊締部は、上腕の後面において、一本の曲線状のラインで形成されていてもよく、互いに離れている３本以上の曲線状のラインで形成されていてもよい。上腕の後面において、第１緊締部１１の幅は、特に限定されないが、ランニング時に腕が前に行きすぎることを十分に抑制する観点から、４〜８ｃｍであることが好ましく、５〜７ｃｍであることがより好ましい。また第１緊締部１１の幅が８ｃｍ以下であると、着用感も良好である。ここで、第１緊締部１１の幅とは、第１緊締部１１が二本以上の互いに離れている曲線状のラインで形成されている場合は、二本以上の曲線状のラインの全体幅をいう。第１緊締部において、本体生地の面積に対する樹脂材料の面積の割合は、５０〜９０％であることが好ましく、６０〜８０％であることがより好ましい。
【００２８】  袖部３は、また、僧帽筋上部繊維起始点の第７頚椎から、僧帽筋上部繊維、上腕二頭筋肘内側部及び前腕後面を通り、前腕遠位部に至るように配置されている第２緊締部１２を有する。該実施形態において、第２緊締部１２は、第１緊締部１１と僧帽筋上部繊維を覆う領域で繋がっている。本発明において、第２緊締部は、僧帽筋上部繊維起始点の第７頚椎から、僧帽筋上部繊維、上腕二頭筋、肘外側部及び前腕後面を通り、前腕遠位部に至るように配置されていてもよい。また、第２緊締部は、僧帽筋上部繊維起始点の第７頚椎から、僧帽筋上部繊維、上腕二頭筋、肘内側部及び前腕後面を通り、前腕中央部に至るように配置されていてもよい。また、第２緊締部は、僧帽筋上部繊維起始点の第７頚椎から、僧帽筋上部繊維、上腕二頭筋、肘外側部及び前腕後面を通り、前腕中央部に至るように配置されていてもよい。第２緊締部１２は、上腕部の前面から肘内側又は肘外側を介して前腕後面を通り前腕中央部又は前腕遠位部に至る曲線状のラインで形成されている。第２緊締部により、肘の屈曲を促し、肘の屈曲姿勢の保持をサポートすることができる。
【００２９】  第２緊締部１２は、本体生地上に配置された（例えば、塗布された）樹脂材料で構成されており、樹脂材料はドット状のパターンを有する。本発明において、第２緊締部における樹脂材料の形状は上述したとおりドット状に限定されない。該実施形態において、第２緊締部１２は、二本の互いに離れた曲線状のラインで形成されている。本発明において、第２緊締部は、一本の曲線状のラインで形成されていてもよく、互いに離れている３本以上の曲線状のラインで形成されていてもよい。第２緊締部１２の幅は、特に限定されないが、肘の屈曲を促し、肘の屈曲姿勢の保持を効果的にサポートする観点から、４〜８ｃｍであることが好ましく、５〜７ｃｍであることがより好ましい。また第２緊締部１２の幅が８ｃｍ以下であると、着用感も良好である。ここで、第２緊締部１２の幅は、第２緊締部１２が互いに離れている二本以上の曲線状のラインで形成されている場合は、二本以上の曲線状のラインの全体幅をいう。第２緊締部において、本体生地の面積に対する樹脂材料の面積の割合は、５０〜１００％であることが好ましく、６０〜８０％であることがより好ましい。
【００３０】  図２Ａは本発明のスポーツ用ウェアの一実施態様の正面図であり、図２Ｂは同背面図である。図２に示されているように、この実施態様において、スポーツ用ウェア２０は、前身頃１、後身頃２、及び袖部３を含む。また、袖部３は、第１緊締部１１及び第２緊締部１２を有する。第１緊締部１１及び第２緊締部１２は、上述したとおりである。
【００３１】  該実施形態のスポーツウェア２０は、さらに、後身頃２において、肩甲骨内側、胸椎及び骨盤を覆う領域に配置されている第３緊締部１３を有する。第３緊締部１３は、具体的には、両肩甲骨内側に収まる位置に配置されている肩甲骨緊締部１３Ａと、肩甲骨緊締部１３Ａより下方から胸椎に沿うように、即ち後身頃の中央に縦方向へ配置されている胸椎緊締部１３Ｂと、背面から骨盤を覆う背面骨盤緊締部１３Ｃで構成されている。また、該実施形態のスポーツウェア２０は、肩甲骨緊締部１３Ａより斜め下方から脇の下に向けて斜め方向に延びている側部緊締部１５を有する。
【００３２】  第３緊締部１３は、本体生地上に配置された（例えば、塗布された）樹脂材料で構成されており、樹脂材料はドット状のパターンを有する。本発明において、第３緊締部における樹脂材料の形状は上述したとおりドット状に限定されない。第３緊締部において、本体生地の面積に対する樹脂材料の面積の割合は、５０〜１００％であることが好ましく、６０〜９０％であることがより好ましい。
【００３３】  図３Ａは本発明のスポーツ用ウェアの一実施態様の正面図であり、図３Ｂは同背面図である。図３に示されているように、この実施態様において、スポーツ用ウェア３０は、前身頃１、後身頃２、及び袖部３を含む。袖部３は、第１緊締部１１及び第２緊締部１２を有する。後身頃２は、第３緊締部１３を有する。第１緊締部１１、第２緊締部１２及び第３緊締部１３は、上述したとおりである。該実施形態のスポーツ用ウェア３０において、側部緊締部１５は、前身頃の脇の下まで延びている。
【００３４】  該実施形態のスポーツウェア３０は、さらに、前身頃１において、前面から腸骨の一部を覆う領域に配置されている第４緊締部１４を有する。第４緊締部１４は、少なくとも前身頃の下端から前身頃の長さの２０％までの領域に配置され、かつ多くても前身頃の下端から前身頃の長さの４０％までの領域に配置されていることが好ましい。すなわち、第４緊締部１４の長さ（身長方向）は、前身頃の長さの２０％以上４０％以下である。また、前身頃１において、第４緊締部１４は後身頃２と連続しており、第４緊締部１４において樹脂材料は、第３緊締部１３Ｃの樹脂材料と連続的に配置されている。
【００３５】  第４緊締部１４は、本体生地上に配置された（例えば、塗布された）樹脂材料で構成されており、樹脂材料はドット状のパターンを有する。本発明において、第４緊締部における樹脂材料の形状は上述したとおりドット状に限定されない。第４緊締部において、本体生地の面積に対する樹脂材料の面積の割合は、５０〜１００％であることが好ましく、６０〜９５％であることがより好ましい。
【実施例】
【００３６】  以下実施例を用いて本発明をさらに具体的に説明する。なお、本発明は下記の実施例に限定されるものではない。【００３７】  （実施例１）  本体生地として、長軸伸長率が１７６．３％、短軸伸長率が９６．７％、目付けが２００ｇ／ｍ2であるトリコット経編地（ポリエステル繊維８４質量％、ポリウレタン繊維１６質量％）を用いた。図４に示すように、本体生地の所定の箇所に液状のウレタン樹脂を所定のパターンになるようにドット状に塗布して１５０℃までに加熱した後、常温（２０℃）までに自然冷却することで、袖部用の生地片１０２及び１０３を作製した。本体生地から前身頃用の生地片１０１、後身頃及び前身頃の一部用の生地片１０４を切り出した。次に、これらの生地片１０１、１０２、１０３、１０４を縫製して、図１に示す前身頃１、後身頃２、袖部３を有するスポーツウェア（トップス）１０（ＪＡＳＰＯ規格男性Ｍサイズ）を作製した。生地片１０４において、線Ｉ及びＩＩは、前身頃と後身頃の境界線を示している。図１において、太い線及び点線は縫製線を示す。スポーツウェア１０は、本体生地で構成された首口４を有する。スポーツウェア１０は、第１緊締部１１、及び第２緊締部１２を有し、第１緊締部１１及び第２緊締部１２は僧帽筋上部繊維を覆う領域で一体化されていた。上腕の後面において、第１緊締部１１の幅は、６ｃｍであった。第２緊締部１２の幅は、６ｃｍであった。第１緊締部１１及び第２緊締部１２において、樹脂の本体生地の表面からの高さは約１８μｍであった。第１緊締部及び第２緊締部は、いずれも、長軸伸張率は４８％であり、短軸伸張率は７５．９％であった。【００３８】  （実施例２）  本体生地として、実施例１と同様の本体生地を用いた。図５に示すように、本体生地の所定の箇所に液状のウレタン樹脂を所定のパターンになるようにドット状に塗布して１５０℃までに加熱した後、常温（２０℃）までに自然冷却することで、袖部用の生地片２０２及び２０３、後身頃及び前身頃の一部用の生地片２０４、前身頃の一部用の生地片２０５及び２０６を作製した。本体生地から前身頃用の生地片２０１を切り出した。次に、これらの生地片２０１、２０２、２０３、２０４、２０５及び２０６を縫製して、図３に示す前身頃１、後身頃２、袖部３を有するスポーツウェア（トップス）３０（ＪＡＳＰＯ規格男性Ｍサイズ）を作製した。生地片２０４において、線ＩＩＩ及びＩＶは、前身頃と後身頃の境界線を示している。図３において、太い線及び点線は縫製線を示す。スポーツウェア３０は、本体生地で構成された首口４を有する。スポーツウェア３０は、第１緊締部１１、第２緊締部１２、第３緊締部１３、第４緊締部１４、及び側部緊締部１５を有し、第１緊締部１１及び第２緊締部１２は僧帽筋上部繊維を覆う領域で一体化されていた。上腕の後面において、第１緊締部１１の幅は、６ｃｍであった。第２緊締部１２の幅は、６ｃｍであった。第１緊締部１１、第２緊締部１２、第３緊締部１３及び第４緊締部１４及び袖部緊締部１５において、樹脂の本体生地表面からの高さは約１８μｍであった。第１緊締部１１、第２緊締部１２、第４緊締部１４、胸椎緊締部１３Ｂ、背面骨盤緊締部１３Ｃ及び側部緊締部１５は、長軸伸張率が４８％であり、短軸伸張率が７５．９％であった。肩甲骨緊締部１３Ａは、長軸伸張率が４１％であり、短軸伸張率が６２％であった。【００３９】  （比較例１）  本体生地を用いてスポーツウェア（ＪＡＳＰＯ規格男性Ｍサイズ）を作製した。比較例１のスポーツウェアは、第１緊締部及び第２緊締部を有しない以外は、実施例１のスポーツウェアと同様の構成を有するものであった。【００４０】  実施例１〜２及び比較例１のスポーツウェアを、７名の被験者（男性）に着用させ、下記のようにランニング時のランニングフォームに対する影響を確認した。【００４１】  （腕振り及び肘の角度保持）  腕振り及び肘の角度保持については、ミズノランニングフォーム診断システム「Ｆ．Ｏ．Ｒ．Ｍ」にて、上腕角度Ｍａｘ及び前腕角ＭａｘＭｉｎを測定することで評価した。その結果を下記表１に示した。表１のデータは、７名の被験者の平均値である。上腕角度Ｍａｘが、「−」であるとともに、絶対値が高いほど、腕がしっかりと後ろに振れていることを意味する。また、前腕角度ＭａｘＭｉｎの値が低いほど、肘の角度が保持され、肘の曲げ伸ばしが少なく、安定して腕が振れていることを意味する。ここで上腕角度Ｍａｘとは、矢状面に投影された肩峰を通る垂線と肩峰と肘外側を結ぶ線の最大角度であり、背面側をマイナスとしている。また、前腕角度ＭａｘＭｉｎとは、矢状面に投影された肩峰と肘外側を結ぶ線と肘外側と尺骨茎状突起を結ぶ直線のなす角度の最大値と最小値の差である。【００４２】  （姿勢矯正）  姿勢矯正は、外踝と肩峰にマーカーをつけた被験者に実施例と比較例のスポーツ用ウェアを着用してもらい、側面からデジタル写真をとり、矢状面に投影したときの、外踝のマーカーを通る垂線（姿勢軸）と肩峰のマーカーの距離を測定して評価した。その結果を下記表１に示した。表１のデータは、７名の被験者の平均値である。姿勢軸と肩峰間の距離が小さいほど、体幹が締められ、胸を張った姿勢になっていることを意味する。【００４３】
【表１】
2017098821.tif 000003
【００４４】  表１の結果から、実施例１及び２のスポーツウェアを着用した場合は、比較例１のスポーツウェアを着用した場合に比べて、ランニング時に腕が前に行きすぎず、腕をしっかりと後に振れていることが分かった。また、実施例１及び２のスポーツウェアを着用した場合は、比較例１のスポーツウェアを着用した場合に比べて、肘の曲げ伸ばしが少ないことが分かった。また、実施例１及び２のスポーツウェアを着用した場合は、比較例１のスポーツウェアを着用した場合に比べて、胸を張った姿勢になっていた。実施例２のスポーツウェアを着用した場合は、実施例１のスポーツウェアを着用した場合に比べて、体幹がより締められ、より胸を張った姿勢になっていた。
【符号の説明】
【００４５】  １  前身頃  ２  後身頃  ３  袖部  ４  首口  １０、２０、３０  スポーツ用ウェア  １１  第１緊締部  １２  第２緊締部  １３  第３緊締部  １３Ａ  肩甲骨緊締部  １３Ｂ  胸椎緊締部  １３Ｃ  背面骨盤緊締部  １４  第４緊締部  １５  側部緊締部  １０１、１０２、１０３、１０４、２０１、２０２、２０３、２０４、２０５、２０６  生地片
【図１】
2017098821.tif 000004
【図２】
2017098821.tif 000005
【図３】
2017098821.tif 000006
【図４】
2017098821.tif 000007
【図５】
2017098821.tif 000008
【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
伸縮性を有する生地で構成され、上半身に着用されるスポーツ用ウェアであって、
前身頃、後身頃及び袖部を含み、
前記袖部は、僧帽筋上部繊維起始点の第７頚椎から、僧帽筋上部繊維及び上腕三頭筋を通り、肘上部に至るように配置されている第１緊締部と、
僧帽筋上部繊維起始点の第７頚椎から、僧帽筋上部繊維、上腕二頭筋、肘内側部若しくは肘外側部及び前腕後面を通り、前腕中央部若しくは前腕遠位部に至るように配置されている第２緊締部を有することを特徴とするスポーツ用ウェア。
【請求項２】
前記第２緊締部は、僧帽筋上部繊維を覆う領域で前記第１緊締部と一体化されている請求項１に記載のスポーツ用ウェア。
【請求項３】
前記後身頃は、肩甲骨内側、胸椎及び骨盤を覆う領域に配置されている第３緊締部を有する請求項１又は２に記載のスポーツ用ウェア。
【請求項４】
前記前身頃は、腸骨の一部を覆う領域に配置されている第４緊締部を有する請求項１〜３のいずれか１項に記載のスポーツ用ウェア。
【請求項５】
前記第１緊締部、前記第２緊締部、前記第３緊締部及び前記第４緊締部は、いずれも、前記伸縮性を有する生地上に配置された樹脂材料で構成されている請求項４に記載のスポーツ用ウェア。
【国際調査報告】
2017098821.tif 000009
2017098821.tif 000010
2017098821.tif 000011
2017098821.tif 000012